【手続補正書】
【提出日】平成17年2月28日(2005.2.28)
【手続補正１】
【補正対象書類名】特許請求の範囲
【補正対象項目名】請求項１
【補正方法】変更
【補正の内容】
【請求項１】
真空空間を画定する真空容器と、この真空容器の一部分に機械的に支持されるとともに前記真空容器内に突出して又は前記真空容器を貫通して設けられた概略円柱状で中心軸を有する固定体と、この固定体の外周に微小な軸受隙間を保って同軸的に嵌合された概略円筒状部分を含み且つ一部分にＸ線ターゲットが同軸的に取り付けられた回転体と、これら固定体及び回転体の嵌合部に設けられたらせん溝とこの中に充填された液体金属潤滑剤を有する動圧式すべり軸受とを具備する回転陽極型Ｘ線管において、いずれかの動圧式すべり軸受は前記固定体と前記回転体との間に設けられた環状リザーバで前記中心軸に沿って挟まれており、この動圧式すべり軸受の両側にある前記環状リザーバは径方向に屈曲した部分が無く且つこの動圧式すべり軸受を経由しない少なくとも１個の潤滑剤通路で連結されており、前記環状リザーバ及び前記潤滑剤通路の内部には一部分の空間を残して液体金属潤滑剤が充填されており、この液体金属潤滑剤は前記動圧式すべり軸受の軸受隙間内にある液体金属潤滑剤と連通していることを特徴とする回転陽極型Ｘ線管。
【手続補正２】
【補正対象書類名】特許請求の範囲
【補正対象項目名】請求項２
【補正方法】変更
【補正の内容】
【請求項２】
真空空間を画定する真空容器と、この真空容器の一部分に機械的に支持されるとともに前記真空容器内に突出して又は前記真空容器を貫通して設けられた概略円柱状で中心軸を有する固定体と、この固定体の外周に微小な軸受隙間を保って同軸的に嵌合された概略円筒状部分を含み且つ一部分にＸ線ターゲットが同軸的に取り付けられた回転体と、これら固定体及び回転体の嵌合部に設けられたらせん溝とこの中に充填された液体金属潤滑剤を有する動圧式すべり軸受とを具備する回転陽極型Ｘ線管において、前記固定体の表面と前記回転体の端部の表面とが対向した位置に前記真空空間に連通した環状の端部開口があり、前記動圧式すべり軸受には前記回転体を前記中心軸に沿った方向に支承する一対のスラスト軸受と前記中心軸に直角な方向に支承する第１及び第２のラジアル軸受とが含まれており、これらの動圧式すべり軸受のうちで前記端部開口に最も近い動圧式すべり軸受は前記固定体と前記回転体との間に設けられた環状リザーバで前記中心軸に沿って挟まれており、この動圧式すべり軸受の両側にある前記環状リザーバは径方向に屈曲した部分が無く且つこの動圧式すべり軸受を経由しない少なくとも１個の潤滑剤通路で連結されており、前記環状リザーバ及び前記潤滑剤通路の内部には一部分の空間を残して液体金属潤滑剤が充填されており、この液体金属潤滑剤は前記動圧式すべり軸受の軸受隙間内にある液体金属潤滑剤と連通しており、前記固定体と前記回転体とは前記端部開口に最も近い位置にある前記環状リザーバから前記端部開口の方向に伸びた延長部分を含んでおり、この延長部分の前記固定体と前記回転体の間に、前記環状リザーバに連通しており液体金属潤滑剤で濡れていない対向した表面から成る環状禁止帯と、この環状禁止帯に連通しており液体金属潤滑剤で濡れた表面を含み且つ軸受隙間が前記第１及び第２のラジアル軸受のどちらよりも小さくない第３のラジアル軸受とが順に設けられていることを特徴とする回転陽極型Ｘ線管。
【手続補正３】
【補正対象書類名】特許請求の範囲
【補正対象項目名】請求項７
【補正方法】変更
【補正の内容】
【請求項７】
真空空間を画定する真空容器と、この真空容器の一部分に機械的に支持されるとともに前記真空容器内に突出して又は前記真空容器を貫通して設けられた概略円柱状で中心軸を有する固定体と、この固定体の外周に微小な軸受隙間を保って同軸的に嵌合された概略円筒状の部分を含み且つ一部分にＸ線ターゲットが同軸的に取り付けられた回転体と、これら固定体及び回転体の嵌合部に設けられたらせん溝とこの中に充填された液体金属潤滑剤を有する動圧式すべり軸受とを具備する回転陽極型Ｘ線管において、前記固定体の表面と前記回転体の端部の表面とが対向した位置に前記真空空間に連通した環状の端部開口があり、前記動圧式すべり軸受には前記回転体を前記中心軸に沿った方向に支承する一対のスラスト軸受と前記中心軸に直角な方向に支承する第１及び第２のラジアル軸受とが含まれており、前記固定体と前記回転体とはこれらの動圧式すべり軸受が設けられた部分から前記端部開口の方向に伸びた延長部分を含んでおり、この延長部分に最も近い位置にある前記動圧式すべり軸受に連通した環状リザーバと、この環状リザーバに連通しており液体金属潤滑剤で濡れていない対向した表面から成る環状禁止帯と、この環状禁止帯に連通しており液体金属潤滑剤で濡れた表面を含み且つ軸受隙間が前記第１及び第２のラジアル軸受のどちらよりも小さくない第３のラジアル軸受とが前記延長部分の前記固定体と前記回転体との間に順に設けられていることを特徴とする回転陽極型Ｘ線管。
【手続補正４】
【補正対象書類名】特許請求の範囲
【補正対象項目名】請求項１６
【補正方法】変更
【補正の内容】
【請求項１６】
真空空間を画定する真空容器と、この真空容器の一部分に機械的に支持されるとともに前記真空容器内に突出して又は前記真空容器を貫通して設けられた概略円柱状で中心軸を有する固定体と、この固定体の外周に微小な軸受隙間を保って同軸的に嵌合された概略円筒状の部分を含み且つ一部分にＸ線ターゲットが同軸的に取り付けられた回転体と、これら固定体及び回転体の嵌合部に設けられたらせん溝とこの中に充填された液体金属潤滑剤を有する動圧式すべり軸受とを具備する回転陽極型Ｘ線管の製造方法において、前記動圧式すべり軸受のいずれかを前記中心軸に沿った方向に挟んだ位置に、前記固定体の円筒状表面と繋がった環状側面を含んだ第１及び第２の環状深溝を設ける工程と、この第１の環状深溝の前記環状側面と前記第２の環状深溝の前記環状側面とのそれぞれに開口していて径方向に屈曲していない少なくとも１個の潤滑剤通路を設ける工程と、前記第１及び第２の環状深溝を含む前記固定体と前記回転体の表面とで囲まれた領域に一部分の空間を残して液体金属潤滑剤を充填する工程と、前記固定体と前記回転体とを組立てて前記真空容器に組み込む工程と、組み込まれた前記真空容器を前記中心軸が概略水平方向になるように設定して前記真空容器の内部を排気する工程とを含むことを特徴とする回転陽極型Ｘ線管の製造方法。
【手続補正５】
【補正対象書類名】明細書
【補正対象項目名】００１７
【補正方法】変更
【補正の内容】
【００１７】
本発明の一つは、真空空間を画定する真空容器と、この真空容器の一部分に機械的に支持されるとともに前記真空容器内に突出して又は前記真空容器を貫通して設けられた概略円柱状で中心軸を有する固定体と、この固定体の外周に微小な軸受隙間を保って同軸的に嵌合された概略円筒状部分を含み且つ一部分にＸ線ターゲットが同軸的に取り付けられた回転体と、これら固定体及び回転体の嵌合部に設けられたらせん溝とこの中に充填された液体金属潤滑剤を有する動圧式すべり軸受とを具備する回転陽極型Ｘ線管において、いずれかの動圧式すべり軸受は前記固定体と前記回転体との間に設けられた環状リザーバで前記中心軸に沿って挟まれており、この動圧式すべり軸受の両側にある前記環状リザーバは径方向に屈曲した部分が無く且つこの動圧式すべり軸受を経由しない少なくとも１個の潤滑剤通路で連結されており、前記環状リザーバ及び前記潤滑剤通路の内部には一部分の空間を残して液体金属潤滑剤が充填されており、この液体金属潤滑剤は前記動圧式すべり軸受の軸受隙間内にある液体金属潤滑剤と連通していることを特徴とする回転陽極型Ｘ線管である。この回転陽極型Ｘ線管では前記動圧式すべり軸受が前記環状リザーバで前記中心軸に沿って挟まれており、これらが環状の隙間で連通しているので液体金属潤滑剤の授受が行われ易く、且つ両側の前記環状リザーバは前記動圧式すべり軸受を径方向に屈曲せずにバイパスする潤滑剤通路が設けられている為にどこかに発生した気体の膨張等で局部的な高圧力の場所が生じてもこの気体は液体金属潤滑剤とともに容易に移動して低圧力化する。これは、前記環状リザーバ及び前記潤滑剤通路の内部には一部分の空間を残して液体金属潤滑剤が充填されているために、この空間に気体が合流して体積が膨張することによる。また、前記環状リザーバ内では気体が前記空間に合流するに際してその動きを妨げる障害物がないし、環状リザーバ及び潤滑剤通路は十分に大きな断面を持っているのでこれらの中で液体金属潤滑剤と気体との置換が行われ易くて都合がよい。このようにして内部の気体による局部的な高圧力化が防止できるとともに、気体を外部に排気し易いようになっている。
【手続補正６】
【補正対象書類名】明細書
【補正対象項目名】００１８
【補正方法】変更
【補正の内容】
【００１８】
本発明の一つは、真空空間を画定する真空容器と、この真空容器の一部分に機械的に支持されるとともに前記真空容器内に突出して又は前記真空容器を貫通して設けられた概略円柱状で中心軸を有する固定体と、この固定体の外周に微小な軸受隙間を保って同軸的に嵌合された概略円筒状部分を含み且つ一部分にＸ線ターゲットが同軸的に取り付けられた回転体と、これら固定体及び回転体の嵌合部に設けられたらせん溝とこの中に充填された液体金属潤滑剤を有する動圧式すべり軸受とを具備する回転陽極型Ｘ線管において、前記固定体の表面と前記回転体の端部の表面とが対向した位置に前記真空空間に連通した環状の端部開口があり、前記動圧式すべり軸受には前記回転体を前記中心軸に沿った方向に支承する一対のスラスト軸受と前記中心軸に直角な方向に支承する第１及び第２のラジアル軸受とが含まれており、これらの動圧式すべり軸受のうちで前記端部開口に最も近い動圧式すべり軸受は前記固定体と前記回転体との間に設けられた環状リザーバで前記中心軸に沿って挟まれており、この動圧式すべり軸受の両側にある前記環状リザーバは径方向に屈曲した部分が無く且つこの動圧式すべり軸受を経由しない少なくとも１個の潤滑剤通路で連結されており、前記環状リザーバ及び前記潤滑剤通路の内部には一部分の空間を残して液体金属潤滑剤が充填されており、この液体金属潤滑剤は前記動圧式すべり軸受の軸受隙間内にある液体金属潤滑剤と連通しており、前記固定体と前記回転体とは前記端部開口に最も近い位置にある前記環状リザーバから前記端部開口の方向に伸びた延長部分を含んでおり、この延長部分の前記固定体と前記回転体の間に、前記環状リザーバに連通しており液体金属潤滑剤で濡れていない対向した表面から成る環状禁止帯と、この環状禁止帯に連通しており液体金属潤滑剤で濡れた表面を含み且つ軸受隙間が前記第１及び第２のラジアル軸受のどちらよりも小さくない第３のラジアル軸受とが順に設けられていることを特徴とする回転陽極型Ｘ線管である。第３のラジアル軸受の軸受隙間は前記第１及び第２のラジアル軸受のどちらよりも大きい方が好ましい。
【手続補正７】
【補正対象書類名】明細書
【補正対象項目名】００２４
【補正方法】変更
【補正の内容】
【００２４】
本発明の一つは、真空空間を画定する真空容器と、この真空容器の一部分に機械的に支持されるとともに前記真空容器内に突出して又は前記真空容器を貫通して設けられた概略円柱状で中心軸を有する固定体と、この固定体の外周に微小な軸受隙間を保って同軸的に嵌合された概略円筒状の部分を含み且つ一部分にＸ線ターゲットが同軸的に取り付けられた回転体と、これら固定体及び回転体の嵌合部に設けられたらせん溝とこの中に充填された液体金属潤滑剤を有する動圧式すべり軸受とを具備する回転陽極型Ｘ線管において、前記固定体の表面と前記回転体の端部の表面とが対向した位置に前記真空空間に連通した環状の端部開口があり、前記動圧式すべり軸受には前記回転体を前記中心軸に沿った方向に支承する一対のスラスト軸受と前記中心軸に直角な方向に支承する第１及び第２のラジアル軸受とが含まれており、前記固定体と前記回転体とはこれらの動圧式すべり軸受が設けられた部分から前記端部開口の方向に伸びた延長部分を含んでおり、この延長部分に最も近い位置にある前記動圧式すべり軸受に連通した環状リザーバと、この環状リザーバに連通しており液体金属潤滑剤で濡れていない対向した表面から成る環状禁止帯と、この環状禁止帯に連通しており液体金属潤滑剤で濡れた表面を含み且つ軸受隙間が前記第１及び第２のラジアル軸受のどちらよりも小さくない第３のラジアル軸受とが前記延長部分の前記固定体と前記回転体との間に順に設けられていることを特徴とする回転陽極型Ｘ線管である。第３のラジアル軸受の軸受隙間は前記第１及び第２のラジアル軸受のどちらよりも大きい方が好ましい。前記のように、回転体が静止しているときには、前記環状禁止帯があるために、前記第３のラジアル軸受内にある液体金属潤滑剤の量は少なく、液体金属潤滑剤の一部がこの中で移動させられることによって容易に破断して臨時の気体通路が作られる。前記回転体が回転しているときには前記第３のラジアル軸受内にある液体金属潤滑剤の量が増加してこれを押し戻す力が増す。この回転陽極型Ｘ線管では前記と同様の効果があるが重複を避ける為説明を省略する。
【手続補正８】
【補正対象書類名】明細書
【補正対象項目名】００３２
【補正方法】変更
【補正の内容】
【００３２】
本発明の一つは、真空空間を画定する真空容器と、この真空容器の一部分に機械的に支持されるとともに前記真空容器内に突出して又は前記真空容器を貫通して設けられた概略円柱状で中心軸を有する固定体と、この固定体の外周に微小な軸受隙間を保って同軸的に嵌合された概略円筒状の部分を含み且つ一部分にＸ線ターゲットが同軸的に取り付けられた回転体と、これら固定体及び回転体の嵌合部に設けられたらせん溝とこの中に充填された液体金属潤滑剤を有する動圧式すべり軸受とを具備する回転陽極型Ｘ線管の製造方法において、前記動圧式すべり軸受のいずれかを前記中心軸に沿った方向に挟んだ位置に、前記固定体の円筒状表面と繋がった環状側面を含んだ第１及び第２の環状深溝を設ける工程と、この第１の環状深溝の前記環状側面と前記第２の環状深溝の前記環状側面とのそれぞれに開口していて径方向に屈曲していない少なくとも１個の潤滑剤通路を設ける工程と、前記第１及び第２の環状深溝を含む前記固定体と前記回転体の表面とで囲まれた領域に一部分の空間を残して液体金属潤滑剤を充填する工程と、前記固定体と前記回転体とを組立てて前記真空容器に組み込む工程と、組み込まれた前記真空容器を前記中心軸が概略水平方向になるように設定して前記真空容器の内部を排気する工程とを含むことを特徴とする回転陽極型Ｘ線管の製造方法である。この製造方法を採用すると、回転陽極型Ｘ線管の組立工程や排気工程が簡略化でき、工期が短縮できるだけでなく特殊な製造装置を必要としない効果がある。
【手続補正９】
【補正対象書類名】明細書
【補正対象項目名】００４４
【補正方法】変更
【補正の内容】
【００４４】
図１、図２、図３を参照して本発明の回転陽極型Ｘ線管の構成について説明する。これらの図において、同じ部分は同じ番号を付して表している。図１は、本発明に係わる回転陽極型Ｘ線管の要部を表す断面図であって、１は内部を高真空の真空空間１ａを画定する真空容器であり、２は真空容器１内に在って電子を放出する陰極であり、３は陰極２から放出された電子が入射してＸ線を放出するＸ線ターゲットであり、４はＸ線ターゲット３から放出されたＸ線を真空容器１の外部に取り出す為のＸ線照射窓である。図１において、１０はＸ線ターゲット３を回転自在に支承する回転機構であり、２０は回転機構１０の内Ｘ線ターゲット３を回転する為の回転体であり、３０は回転体２０に嵌合されて回転体２０を回転自在に支承する固定体であり、４０は真空容器１の外から回転体２０に回転力を付与するステータである。